(57)【特許請求の範囲】
【請求項１】
先細りの輪郭部を有する基材層とヒートシール層とから構成される包装袋からなり、一つの先細りの輪郭部の領域とこの領域に隣接する領域のヒートシール層間はイージーピール性シール層で仕切られ、更に前記一つの先細りの輪郭内のシール部にはノッチが設けられ、前記一つの先細りの輪郭部の領域に隣接する領域内に粘性内容物が収容されており、かつ、前記のヒートシール層が、ポリエチレンからなり、かつ、前記のイージーピール性シール層が、ポリエチレンとポリブテン−１ポリマーのブレンド物からなる樹脂層であることを特徴とする詰め替え用パウチ。
【請求項２】
袋体が三角形に形成されていることを特徴とする請求項１に記載の詰め替え用パウチ。
【発明の詳細な説明】
【技術分野】
【０００１】
本発明は、粘性内容物を密封包装し、使用時に内容物を他の容器に移し替えて使用する詰め替え用パウチに関する。
【背景技術】
【０００２】
図１は、従来の詰め替え用洗剤用包装袋を示す。この包装袋は、内層１と外層２の積層体からなり、包装袋の最適な開封位置に相当する箇所に開封テープ４を設け、開封用切れ目を刻設してなるものである（特許文献１参照）。
【特許文献１】特開平９−７７０９１号公報
【発明の開示】
【発明が解決しようとする課題】
【０００３】
しかしながら、特許文献１に記載の包装袋は容易に開封し得るという利点を有するものの、開封時に内容物で手を汚すことがある。
本発明の課題は、手を汚さずに内容物の詰め替えをすることができる詰め替え用パウチを提供することである。
【課題を解決するための手段】
【０００４】
請求項１に記載の発明は、上記の課題を解決するもので、先細りの輪郭部を有する基材層とヒートシール層とから構成される包装袋からなり、一つの先細りの輪郭部の領域とこの領域に隣接する領域のヒートシール層間はイージーピール性シール層で仕切られ、更に前記一つの先細りの輪郭内のシール部にはノッチが設けられ、前記一つの先細りの輪郭部の領域に隣接する領域内に粘性内容物が収容されており、かつ、前記のヒートシール層が、ポリエチレンからなり、かつ、前記のイージーピール性シール層が、ポリエチレンとポリブテン−１ポリマーのブレンド物からなる樹脂層であることを特徴とする詰め替え用パウチを要旨とする。
【０００５】
本発明の詰め替え用パウチによれば、ノッチに沿って包装袋を引裂いた後、先細りの輪郭部をボトルの口部に差込み、詰め替え用パウチを握ることにより粘性内容物を前記先細りの輪郭部のほうに押しやり、イージーピール性シール部を凝集破壊又は層間剥離させて包装袋を開口させ、それによって手を汚さずに洗剤、シャンプー等の粘性内容物の詰め替えを行うことができる。
【０００６】
本発明において、詰め替え用パウチは三角袋の形状に形成するのが望ましい。又、本発明の詰め替え用パウチを、方形の一辺に三角形が連接された方形と三角形の複合形状に形成することも可能である。又、先細りの輪郭部の先端は必ずしも鋭角にする必要がなく、丸く形成してもよい。
【０００７】
本発明の詰め替え用パウチはカートン、プラスチック等からなる剛体の外装用容器内に収容して二重包装にすることが望ましい。これによって、輸送中、保管中或いは販売中に強い外力を受けて不意に開口することがを防ぐことができる。
【０００８】
又、本発明の詰め替え用パウチは、箱、カップ等に収容する、或いはスタンディングパウチ内に収容する等により、自立性を持たせた状態で包装することも可能である。
【０００９】
又、複数個の本発明の詰め替え用パウチを集積させて外装容器で包装することも可能である。
【発明の効果】
【００１０】
本発明の詰め替え用パウチは、先細りの輪郭部を有する袋体からなり、一つの先細りの輪郭部の領域とこの領域に隣接する領域の間はイージーピール性シール層で仕切られ、更に前記一つの先細りの輪郭内のシール部にはノッチが設けられ、前記一つの先細りの輪郭部の領域に隣接する領域内に粘性内容物が収容されているので、ノッチに沿って包装袋を引裂いた後、先細りの輪郭部をボトルの口部に差込み、詰め替え用パウチを握ることにより粘性内容物を前記先細りの輪郭部のほうに押しやり、イージーピール性シール部を凝集破壊又は層間剥離させて包装袋を開口させ、それによって手を汚さずに洗剤、シャンプー等の粘性内容物の詰め替えを行うことができる。又、粘性内容物を絞り出すので高粘度の内容物でもパウチ内に粘性内容物が殆ど残らずに詰め替えを行うことができる。又、従来の詰め替え用パウチに比べてパウチの壁面フィルムを大幅に薄くすることができる。
【発明を実施するための最良の形態】
【００１１】
図２、図３は本発明の詰め替え用パウチの実施の形態を示し、図２は平面図、図３は側面図である。
【００１２】
図２、図３に示す本発明の詰め替え用パウチの実施の形態においては、詰め替え用パウチ２０は、三角形の袋体２１からなる。袋体２１は、壁面フィルム２３を二枚重ね合わせ、周辺部をシールしてなるものである。そして、一コーナー部（先細りの輪郭部）２４を横切ってイージーピール性シール層２５が設けられ、このイージーピール性シール層２５によって、前記コーナー部２４はそれに隣接する領域に対して仕切られている。前記コーナー部２４に隣接する領域には粘性内容物２２が収容されている。又、前記コーナー部２４にはノッチ２６が設けられ、更に必要に応じて開封用切込み線（レーザー光照射によるハーフカット線）２７が設けられている。
【００１３】
壁面フィルム２３は内層と外層の二層からなる。内層として使用するヒートシール性を有する樹脂フィルムについて説明すると、このようなフィルムとして、例えば、低密度ポリエチレン、中密度ポリエチレン、高密度ポリエチレン、線状（直鎖状）低密度ポリエチレン、ポリプロピレン、エチレン−酢酸ビニル共重合体、アイオノマー樹脂、エチレン−アクリル酸エチル共重合体、エチレン−アクリル酸共重合体、エチレン−プロピレン共重合体、メチルペンテンポリマー、その他の樹脂の一種乃至複数種の樹脂のフイルム乃至シートを使用することができる。そのフィルムの厚さは、５０μｍ以上、望ましくは１００μｍ以上、更に好ましくは１３０μｍ乃至５００μｍである。この内層として使用するフィルムは、外層として使用するフィルムに対して、約２乃至２０倍位の、好ましくは４乃至10倍位の厚さを有することが望ましい。本発明において、上記のような厚さのフィルムを使用することによって、フィルムの剛性、強度等を増し、強度に優れた樹脂のフィルムが有する物性等と相まって、パウチを構成したときに、パウチとしての姿勢維持性が良好となり、消費者の詰め替え作業が容易となり、更に流通過程での店頭での取り扱いが便利になるという利点を利点を有し、更には内層は粘性内容物の保香性等を保持するものである。ところで、本発明においては、上記のようなフィルムの中でも、特に、内層として使用するシートシール性を有するフィルムとしては、線状（直鎖状）低密度ポリエチレン又はエチレン−酢酸ビニル共重合体を主体とするフィルム乃至シートを使用することが最も好ましい。即ち、上記の線状（直鎖状）低密度ポリエチレン又はエチレン−酢酸ビニル共重合体を主体とするフィルム乃至シートは、粘着性を有することから、破断の伝搬が少なく耐衝撃性を向上させるという利点を有するものであり、又、内層は常時洗剤、シャンプー等に接触していることから、耐環境ストレスクラッキング製の劣化を防止するためにも有効なものである。
【００１４】
次に外層として使用する、剛性を有し、強度に優れた樹脂フィルムについて説明すると、このようなフィルムとしては、機械的性質、物理的性質、化学的性質等の優れた性質を有する樹脂のフィルム乃至シートを使用することができ、具体的には、例えば、ポリエステル系樹脂、ポリアミド系樹脂、ポリアラミド系樹脂、ポリプロピレン系樹脂、ポリカーボネート系樹脂、ポリアセタール系樹脂、フッ素系樹脂等の強靱な樹脂のフィルム乃至シートを使用することができる。而して、上記の樹脂のフィルム乃至シートとしては、未延伸フィルム、或いは一軸方向又は二軸方向に延伸した延伸フィルムの何れでも使用することができる。又、本発明において、樹脂のフィルム乃至シートの厚さは、強度、剛性等に関して必要最低限を保持することができる厚さであればよい。
【００１５】
イージーピール性シール部２５としては、例えばポリプロピレン／プロピレン−エチレン共重合体、ブロックポリプロピレン系コポリマー／ブロックポリプロピレン系コポリマーとポリエチレン系コポリマー又はポリブテン系コポリマーのブレンド物、ランダムポリプロピレン系コポリマー／ポリプロピレン／エチレン−酢酸ビニル共重合体、ポリエチレンと非晶性ポリスチレンのブレンド物、ポリオレフィン系樹脂とポリブテン−１ポリマーのブレンド物、ポリオレフィン／低密度ポリエチレン系接着層／エチレン−酢酸ビニル共重合体とポリブテン−１のブレンド物、ポリオレフィン／低密度ポリエチレン系接着層／エチレン−酢酸ビニル共重合体とポリプロピレンのブレンド物等が挙げられる。
【００１６】
図４に示すように、ノッチ２６からコーナー部２４を切断した後、図５に示すように、イージーピール性シール部２５を有するコーナー部２４をボトル２８の口部に差込み、詰め替え用パウチを握ることにより粘性内容物２２をコーナー部２４のほうに押しやり、イージーピール性シール部２５を凝集破壊又は層間剥離させてコーナー部２４を開口させ、それによって手を汚さずに洗剤、シャンプー等の粘性内容物２２の詰め替えを行うことができる。
【００１７】
又、粘性内容物を絞り出すので高粘度の内容物でもパウチ内に粘性内容物が殆ど残らずに詰め替えを行うことができる。
【００１８】
本発明の詰め替え用パウチにおいては、従来の詰め替え用パウチに比べてパウチの壁面フィルムを大幅に薄くすることができる。
【００１９】
本発明の詰め替え用パウチ２０の形状は、図２、図３に示すような三角形に限定されず、例えば、図６に示すように方形の一辺に三角形が連接された方形と三角形の複合形状に形成することも可能である。
【００２０】
更に、図７に示すようにコーナー部の先端を鋭角にせずに、丸く形成することもできる。
【００２１】
本発明の詰め替え用パウチ２０はカートン、プラスチック等からなる剛体の外装用容器内に収容して二重包装にすることが望ましい。これによって、輸送中、保管中或いは販売中に強い外力を受けて不意に開口することがを防ぐことができる。
【００２２】
又、本発明の詰め替え用パウチ２０は箱、カップ等に収容する、スタンディングパウチ内に収容する等により、自立性を持たせた状態で包装することも可能である。
【００２３】
又、複数個の本発明の詰め替え用パウチ２０を集積させて外装容器で包装することも可能である。
【００２４】
本発明の詰め替え用パウチ２０には、図８に示すようなリングなどの絞り作業を助ける付属品２９を付けて販売し、この付属品２９を用いて詰め替え用パウチを絞り、詰め替えを行うようにしてもよい。
【実施例１】
【００２５】
壁面フィルムとしてＩＢＯＮ（シリカ蒸着ナイロン）１５μｍ／ＰＥ５０μｍを二枚ポリエチレン層が内側にくるように重ね合わせて、内容物充填口を残して、周囲をヒートシールし、図１に示すような三角形の詰め替え用パウチを形成した。但し、その場合、注出口となるコーナー部とこのコーナー部に隣接する領域の間を仕切るようにポリエチレン層間にポリエチレンとポリブテン−１ポリマーからなるイージーピール性シール層を介在させて、二つの壁面フィルム面をイージーピール性シール層を介してシールした。
【００２６】
前記詰め替え用パウチのコーナー部に隣接する領域内に洗剤を充填し、その後充填口をヒートして洗剤入り詰め替え用パウチを形成した。
【００２７】
ノッチに沿って包装袋を引裂いた後、先細りの輪郭部をボトルの口部に差込み、詰め替え用パウチを握ることにより粘性内容物を前記先細りの輪郭部のほうに押しやり、イージーピール性シール部を凝集破壊又は層間剥離させて包装袋を開口させ、それによって手を汚さずに洗剤、シャンプー等の粘性内容物の詰め替えを行うことができた。
【実施例２】
【００２８】
実施例１と同様にして、但し壁面フィルムとして、ＩＢＯＮ１５μｍ／ＰＥ５０μｍに代えてＯＮ１５μｍ／ＶＭ−ＰＥＴ（アルミニウム蒸着ＰＥＴ）１２μｍ／ＰＥ５０μｍを用いて、三角形の詰め替え用パウチを形成した。
【００２９】
ノッチに沿って包装袋を引裂いた後、先細りの輪郭部をボトルの口部に差込み、詰め替え用パウチを握ることにより粘性内容物を前記先細りの輪郭部のほうに押しやり、イージーピール性シール部を凝集破壊又は層間剥離させて包装袋を開口させ、それによって手を汚さずに洗剤、シャンプー等の粘性内容物の詰め替えを行うことができた。
【産業上の利用可能性】
【００３０】
本発明の詰め替え用パウチは、洗剤、シャンプー等の粘性内容物の詰め替え用パウチとして活用することができる。
【図面の簡単な説明】
【００３１】
【図１】特許文献１に記載の詰め替え用パウチを示す平面図である。
【図２】本発明の詰め替え用パウチの平面図である。
【図３】図１に示す詰め替え用パウチの側面図である。
【図４】図１に示す詰め替え用パウチのコーナー部をノッチを起点として引裂いた状態を示す斜視図である。
【図５】本発明の詰め替え用パウチを用いて詰め替えを行っている状態を示す斜視図である。
【図６】本発明の詰め替え用パウチの他の実施の形態を示す平面図である。
【図７】本発明の詰め替え用パウチの更に他の実施の形態を示す平面図である。
【図８】本発明の詰め替え用パウチとリングなどの付属品の組み合わせを示す斜視図である。
【符号の説明】
【００３２】
２０        詰め替え用パウチ
２１        袋体
２２        粘性内容物
２３        壁面フィルム
２４        コーナー部
２５        イージーピール性シール部
２６        ノッチ
２７        開封用切れ目線
１          内層
２          外層
３          開封用切れ目線
４          ノッチ
【図１】
0004697946.tif 000002
【図２】
0004697946.tif 000003
【図３】
0004697946.tif 000004
【図４】
0004697946.tif 000005
【図５】
0004697946.tif 000006
【図６】
0004697946.tif 000007
【図７】
0004697946.tif 000008
【図８】
0004697946.tif 000009